(57)【特許請求の範囲】
【請求項１】
固定側部材に張設される膜体と、この膜体の表面に沿って設けられる可撓性板形状の太陽電池と、この太陽電池を上記膜体に取り付ける取付具とを備え、上記膜体に、その面方向に向かって引張力を与えたときの伸び率の値と、上記太陽電池のそれとが互いに相違する太陽電池取付構造において、
上記取付具が、上記膜体の表面に沿って設けられる弾性取付板と、上記膜体と弾性取付板の一端部との間に介設され、その面方向の一端部が上記膜体に接合された取付膜材とを有し、
上記取付膜材の他端部と上記弾性取付板の一端部とを互いに係止する係止部を設けたことを特徴とする太陽電池取付構造。
【請求項２】
上記取付具が、上記太陽電池と弾性取付板の他端部との間に介設され、その面方向の一端部が上記太陽電池に接合された取付膜材を有し、上記取付膜材の他端部と上記弾性取付板の他端部とを互いに係止する係止部を設けたことを特徴とする請求項１に記載の太陽電池取付構造。
【請求項３】
上記係止部の引張弾性率（ＭＰａ）を、上記弾性取付板の上記一端部と他端部との間の部分である中途部の引張弾性率（ＭＰａ）の値よりも大きくしたことを特徴とする請求項１もしくは２に記載の太陽電池取付構造。
【請求項４】
上記弾性取付板の上記一端部と他端部との間の部分である中途部の引張弾性率（ＭＰａ）の値を１０〜１００としたことを特徴とする請求項１から３のうちいずれか１つに記載の太陽電池取付構造。
【請求項５】
請求項１に記載の太陽電池取付構造の形成方法であって、
まず、固定側部材に張設される膜体に初期引張力を付与し、その後、この膜体に対し上記取付具により太陽電池を取り付けることを特徴とする太陽電池取付構造の形成方法。
【発明の詳細な説明】
【技術分野】
【０００１】
本発明は、建造物等の固定側部材に張設される膜体の表面に取付具により太陽電池を取り付けるようにした太陽電池取付構造、およびその形成方法に関するものである。
【背景技術】
【０００２】
上記太陽電池取付構造には、従来、下記特許文献１や特許文献２の特に図２に示されるものがある。これら各公報のものによれば、太陽電池取付構造は、固定側部材に張設される膜体と、この膜体の表面に沿って設けられる可撓性板形状の太陽電池と、この太陽電池を上記膜体に取り付ける取付具とを備えている。
【０００３】
そして、上記太陽電池に達した太陽光は、その光エネルギーが電気エネルギーに変換され、その後、バッテリに充電されたり、その他の電気機器に供給されたりして、自然光が有効利用されるようになっている。
【先行技術文献】
【特許文献】
【０００４】
【特許文献１】特開２０１１−６０７９４号公報
【特許文献２】特許第４３２５１０７号公報
【発明の概要】
【発明が解決しようとする課題】
【０００５】
ところで、上記太陽電池取付構造における膜体の面方向に向かって引張力を与えたときの膜体の伸び量（ｍｍ／Ｎ）は、通常、上記太陽電池のそれよりも大きいものである。
【０００６】
このため、上記膜体に対し、例えば、自然現象として風や積雪などから大きい外部荷重が与えられたときには、上記膜体はその面方向に向かって上記太陽電池よりも大きく伸長変形しようとする。すると、この場合には、上記取付具を介し膜体から太陽電池に対し上記膜体の伸長変形に基づく負荷が与えられる。また、この際、この負荷に基づく反力が上記取付具を介し太陽電池から膜体に与えられる。
【０００７】
つまり、上記従来の技術によれば、膜体とこの膜体に接合された太陽電池とが互いに無用の負荷を与え合うため、これら負荷により、特に上記膜体よりも伸び率が小さい太陽電池がわが早期に損傷しがちとなって、その太陽電池素子に断線が生じたりエネルギー変換性能が低下したりし、この結果、上記した無用の負荷により、上記膜体や太陽電池に寿命上の問題点を生じるおそれがある。
【課題を解決するための手段】
【０００８】
本発明は、上記のような事情に注目してなされたもので、本発明の目的は、建造物等固定側部材に張設された膜体の表面に取付具により太陽電池を取り付けた場合に、自然現象などに基づき上記膜体と太陽電池とが互いに無用な負荷を与え合うことを防止して、特に太陽電池における太陽電池素子の断線防止やエネルギー変換性能の低下防止を図ることにより、上記膜体や太陽電池の寿命を向上させることである。
【０００９】
請求項１の発明は、全図に例示するように、固定側部材２に張設される膜体４と、この膜体４の表面に沿って設けられる可撓性板形状の太陽電池５と、この太陽電池５を上記膜体４に取り付ける取付具６とを備え、上記膜体４に、その面方向に向かって引張力Ｔを与えたときの伸び率の値と、上記太陽電池５のそれとが互いに相違する太陽電池取付構造において、
上記取付具６が、上記膜体４の表面に沿って設けられ、その面方向の一端部１４ａがわが上記膜体４に接合され、他端部１４ｂがわが上記太陽電池５に接合される弾性取付板１４を有したことを特徴とする太陽電池取付構造である。そして、図３に例示するように、上記取付具６が、上記膜体４と弾性取付板１４の一端部１４ａとの間に介設される取付膜材２１を有し、この取付膜材２１の面方向の一端部と上記膜体４とを互いに接合し、上記取付膜材２１の他端部と上記弾性取付板１４の一端部１４ａとを互いに係止する係止部２６を設けたことを特徴とする。
【００１０】
請求項２の発明は、図３に例示するように、上記取付具６が、上記太陽電池５と弾性取付板１４の他端部１４ｂとの間に介設される取付膜材２３を有し、この取付膜材２３の面方向の一端部と上記太陽電池５とを互いに接合し、上記取付膜材２３の他端部と上記弾性取付板１４の他端部１４ｂとを互いに係止する係止部２７を設けたことを特徴とする請求項１に記載の太陽電池取付構造である。
【００１１】
請求項３の発明は、図３に例示するように、上記係止部２６，２７の引張弾性率（ＭＰａ）を、上記弾性取付板１４の上記面方向における中途部の引張弾性率（ＭＰａ）の値よりも大きくしたことを特徴とする請求項１もしくは２に記載の太陽電池取付構造である。
【００１２】
請求項４の発明は、全図に例示するように、上記弾性取付板１４の上記面方向における中途部の引張弾性率（ＭＰａ）の値を１０〜１００としたことを特徴とする請求項１から３のうちいずれか１つに記載の太陽電池取付構造である。
【００１３】
請求項５の発明は、図１（ａ）、図２に例示するように、請求項１に記載の太陽電池取付構造の形成方法であって、
まず、固定側部材２に張設される膜体４に初期引張力Ｔを付与し、その後、この膜体４に対し上記取付具６により太陽電池５を取り付けることを特徴とする太陽電池取付構造の形成方法である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
請求項１の発明は、固定側部材に張設される膜体と、この膜体の表面に沿って設けられる可撓性板形状の太陽電池と、この太陽電池を上記膜体に取り付ける取付具とを備え、上記膜体に、その面方向に向かって引張力を与えたときの伸び率の値と、上記太陽電池のそれとが互いに相違する太陽電池取付構造において、
上記取付具が、上記膜体の表面に沿って設けられる弾性取付板と、上記膜体と弾性取付板の一端部との間に介設され、その面方向の一端部が上記膜体に接合された取付膜材とを有し、上記取付膜材の他端部と上記弾性取付板の一端部とを互いに係止する係止部を設けている。
【００１７】
このため、上記膜体に対し風や積雪などから大きい外部荷重が与えられて、上記膜体がその面方向に向かって上記太陽電池よりも大きく伸長変形しようとするときには、上記膜体の伸長変形に応じて上記弾性取付板が弾性変形する。
【００１８】
よって、上記膜体の伸長変形によりこの膜体から太陽電池に負荷が与えられることは上記弾性取付板の弾性変形により防止され、かつ、上記膜体の伸長変形による負荷に基づく反力が上記弾性取付板を介し太陽電池から膜体に与えられることも未然に防止される。つまり、上記発明によれば、膜体とこの膜体に接合された太陽電池とが互いに無用の負荷を与え合うことは、上記弾性取付板の弾性変形により防止される。この結果、特に太陽電池における太陽電池素子に無用な負荷が与えられることによる太陽電池素子の断線やエネルギー変換性能の低下が防止されて、上記膜体と太陽電池との寿命の向上が達成される。
【００１９】
また、上記弾性取付板は板形状であるため、これを紐形状などにすることに比べ、この弾性取付板がわと膜体および太陽電池との互いの接合面積を大きくできてその接合強度を大きくでき、上記膜体への太陽電池の取り付けが強固になされる。よって、前記したように外部荷重に基づき膜体が伸長変形してこの膜体から太陽電池に負荷が与えられる場合に、上記膜体から上記太陽電池が剥離するなどの不都合の発生は防止される。この結果、上記膜体と太陽電池との寿命の向上が達成される。
【００２０】
しかも、上記取付具による膜体への太陽電池の取り付け作業において、例えば、予め、膜体に上記弾性取付板の一端部がわを接合しておき、その後、上記固定側部材への膜体の張設の前、後のいずれかにおいて、上記弾性取付板の他端部に、太陽電池を取り付けた上記取付膜材の他端部を上記係止部により係止させることができる。よって、上記膜体への太陽電池の取り付け作業の自由度が向上すると共に、上記係止部により上記膜体への太陽電池の取り付け作業が極めて容易にできる。
【００２１】
請求項２の発明は、上記取付具が、上記膜体と弾性取付板の一端部との間に介設される取付膜材を有し、この取付膜材の面方向の一端部と上記膜体とを互いに接合し、上記取付膜材の他端部と上記弾性取付板の一端部とを互いに係止する係止部を設けている。
【００２２】
このため、上記取付具による膜体への太陽電池の取り付け作業において、例えば、予め、膜体に上記取付膜材の一端部を接合しておき、その後、上記固定側部材への膜体の張設の前、後のいずれかにおいて、上記取付膜材の他端部に、太陽電池を取り付けた弾性取付板の一端部を上記係止部により係止させることができる。よって、上記膜体への太陽電池の取り付け作業の自由度が向上すると共に、上記係止部により上記膜体への太陽電池の取り付け作業が極めて容易にできる。
【００２３】
請求項３の発明は、上記係止部の引張弾性率（ＭＰａ）を、上記弾性取付板の上記面方向における中途部の引張弾性率（ＭＰａ）の値よりも大きくしている。
【００２４】
このため、上記弾性取付板には必要な弾性性能が維持される一方、上記した係止部による弾性取付板への取付膜材の他端部の係止が強固になされることから、上記係止部による膜体への太陽電池の取付強度が十分に確保される。よって、前記したように、係止部により膜体への太陽電池の取り付け作業が容易にできるものでありながら、前記したように外部荷重に基づき膜体が伸長変形してこの膜体から太陽電池に負荷が与えられる場合に、上記膜体から上記太陽電池が剥離するなどの不都合の発生は防止される。この結果、これら膜体と太陽電池との寿命の向上が達成される。
【００２５】
請求項４の発明は、上記弾性取付板の引張弾性率（ＭＰａ）の値を１０〜１００としている。
【００２６】
ここで、上記弾性取付板の引張弾性率の値を１０未満にすると、上記弾性取付板による膜体への太陽電池の取付強度が不十分になりがちである。一方、上記引張弾性率の値が１００を越えると、前記した膜体の伸長変形による負荷が太陽電池に与えられようとするときの弾性取付板の弾性変形が不十分になりがちである。
【００２７】
そこで、上記したように弾性取付板の引張弾性率の値を１０〜１００としたのであり、このようにすれば、上記弾性取付板による膜体への太陽電池の取付強度が十分に確保できる。また、上記取付具を一般的な樹脂材にすることに比べ、上記弾性取付板によれば、十分な弾性変形量が得られて、上記膜体と太陽電池とが互いに無用の負荷を与え合うことは上記弾性取付板の弾性変形によって、より確実に防止される。よって、特に太陽電池における太陽電池素子に無用な負荷が与えられることによる太陽電池素子の断線やエネルギー変換性能の低下が防止されて、上記膜体と太陽電池との寿命の向上が、より確実に達成される。
【００２８】
請求項５の発明は、請求項１に記載の太陽電池取付構造の形成方法であって、
まず、固定側部材に張設される膜体に初期引張力を付与し、その後、この膜体に対し上記取付具により太陽電池を取り付けている。
【００２９】
このため、膜体に予め初期引張力が付与されて初期変形させられることから、この膜体に、その後、何らかの外部荷重が与えられたときには、上記膜体が初期変形させられている分、上記外部荷重により伸長変形する膜体から上記取付具を介し太陽電池に与えられる負荷は小さく抑制されて、膜体と太陽電池とが互いに無用の負荷を与え合うことは、更に確実に防止される。この結果、特に太陽電池における太陽電池素子に無用な負荷が与えられることによる太陽電池素子の断線やエネルギー変換性能の低下が防止されて、上記膜体と太陽電池との寿命の向上が、更に確実に達成される。
【図面の簡単な説明】
【００３０】
【図１】（ａ）は参考例１を示し、図２のI−I線矢視拡大断面図である。（ｂ）は参考例２を示し、［図１］（ａ）に相当する図である。（ｃ）は参考例３を示し、［図１］（ａ）に相当する図である。（ｄ）は参考例４を示し、［図１］（ａ）に相当する図である。
【図２】参考例１を示し、太陽光発電装置の部分平面図である。
【図３】（ａ）は実施例１を示し、［図１］（ａ）に相当する図である。（ｂ）は実施例２を示し、［図１］（ａ）に相当する図である。
【発明を実施するための形態】
【００３１】
本発明の太陽電池取付構造に関し、建造物等固定側部材に張設された膜体の表面に取付具により太陽電池を取り付けた場合に、自然現象などに基づき上記膜体と太陽電池とが互いに無用な負荷を与え合うことを防止して、特に太陽電池における太陽電池素子の断線防止やエネルギー変換性能の低下防止を図ることにより、上記膜体や太陽電池の寿命を向上させるようにする、という目的を実現するため、本発明を実施するための形態は、次の如くである。
【００３２】
即ち、太陽電池取付構造は、固定側部材に張設される膜体と、この膜体の表面に沿って設けられる可撓性板形状の太陽電池と、この太陽電池を上記膜体に取り付ける取付具とを備える。上記膜体に、その面方向に向かって引張力を与えたときの伸び率の値と、上記太陽電池のそれとは互いに相違する。上記取付具は弾性取付板を有し、この弾性取付板は、上記膜体の表面に沿って設けられ、その面方向の一端部がわが上記膜体に接合され、他端部がわが上記太陽電池に接合される。
【００３３】
＜参考例１＞
本発明をより詳細に説明するために、その参考例１を添付の図１（ａ）と図２とに従って説明する。
【００３４】
図１（ａ）と図２とにおいて、符号１は膜状太陽光発電装置である。この太陽光発電装置１は、建造物などの固定側部材２に張設される膜体４と、この膜体４の表面（上面）に沿って延びると共にこの表面上に配置される可撓性板形状の複数の太陽電池５と、これら各太陽電池５をそれぞれ上記膜体４に取り付ける取付具６とを備えている。
【００３５】
上記膜体４は、その表面が太陽光に向かうよう水平もしくは水平面に対し傾斜した方向に延びている。上記膜体４は、その面方向の少なくとも一方向Ａに向かって所定値の初期引張力Ｔ（Ｎ／ｍ）が付与されている。この膜体４は、ケナフ繊維等の天然繊維、ポリエステル繊維等の合成繊維、もしくはガラス繊維等の無機繊維等により形成される織物である基材と、この基材の表裏の各外面に被覆（コーティング）されるポリ塩化ビニル（ＰＶＣ）やフッ素樹脂など熱可塑性樹脂材製の外面材（コーティング材）とを備えている。なお、上記膜体４の外面材は、少なくとも熱により溶着する部分の外面がポリ塩化ビニルやフッ素樹脂等の熱可塑性樹脂であればよく、その他の部分の外面には、汚れ防止のための光触媒層等を設けていてもよいし、もしくは、上記熱可塑性樹脂に光触媒粒子を含有させることにより光触媒層としてもよい。
【００３６】
上記各太陽電池５はそれぞれ上記一方向Ａに直交する直交方向Ｂに長く延びる長方形をなし、互いに同形同大とされている。これら各太陽電池５は、上記膜体４の面方向での上記一方向Ａと直交方向Ｂとに碁盤目状となるよう上記膜体４の表面上に配置されている。上記各太陽電池５は、その表面（上面）で太陽光を受光してその光エネルギーを電気エネルギーに変換する太陽電池素子９と、この太陽電池素子９を全体的に覆ってこの太陽電池素子９の外面に固着される表面材１０と、上記太陽電池素子９の電気エネルギーを集めて外部に出力する端子ボックス１１とを備えている。上記表面材１０は、フッ素樹脂など熱可塑性樹脂材製の透明なフィルムとされ、例えば、ポリエチレンテレフタレート（ＰＥＴ）や、テトラフルオロエチレン-エチレン共重合体（ＥＴＦＥ）等により形成されている。
【００３７】
ここで、上記膜体４に、その面方向の一方向Ａおよび直交方向Ｂに向かってそれぞれ引張力Ｔを与えたときの伸び量（ｍｍ／Ｎ）は、上記太陽電池５のそれよりもかなり大きい値であり、両者の値は互いに相違している。
【００３８】
上記取付具６は、その全体がゴム材製であって可撓性も有する弾性取付板１４を有している。この弾性取付板１４は、上記膜体４の外面に沿って、かつ、太陽電池５の外端縁部に沿って設けられ、太陽光発電装置１の平面視（図２）で、長方形の枠形状をなしている。ここで、樹脂材とゴム材とは、これらを互いに溶着させたり縫着させたりすることは事実上困難である。そこで、上記弾性取付板１４の面方向の一端部１４ａである外端縁部は上記膜体４の外面に樹脂系の接着剤１５により接着されて接合され、他端部１４ｂである内端縁部が上記太陽電池５の外端縁部の表面（上面）の表面材１０に接着剤１５により接着されて接合されている。
【００３９】
なお、上記取付具６は、図示のように長方形の枠形状に設けることが好ましいが、長方形の枠形状だけでなく、必要に応じて少なくとも上記太陽電池５の一辺に設けられていれば良く、また、上記一辺の全てに設けていてもよいし、各辺のうち必要な箇所に設けてもよい。
【００４０】
また、上記弾性取付板１４としては、上記ゴム材製の他に、スパンデックス等の弾性糸を使用した伸縮性を有する布の基布表面に、ポリウレタン樹脂等からなる高伸度の熱可塑性樹脂を被覆し、破断伸度を５０〜５００％としたものであってもよい。このような弾性取付板にすれば、接着だけでなく溶着することも可能となる。
【００４１】
上記構成の太陽光発電装置１における太陽電池取付構造によれば、上記膜体４に対し風や積雪などから大きい外部荷重が与えられて、上記膜体４がその面方向に向かって上記太陽電池５よりも大きく伸長変形しようとするときには、上記膜体４の伸長変形に応じて上記弾性取付板１４が弾性変形する。
【００４２】
よって、上記膜体４の伸長変形によりこの膜体４から太陽電池５に負荷が与えられることは上記弾性取付板１４の弾性変形により防止され、かつ、上記膜体４の伸長変形による負荷に基づく反力が上記弾性取付板１４を介し太陽電池５から膜体４に与えられることも未然に防止される。つまり、上記構成によれば、膜体４とこの膜体４に接合された太陽電池５とが互いに無用の負荷を与え合うことは、上記弾性取付板１４の弾性変形により防止される。この結果、特に太陽電池における太陽電池素子に無用な負荷が与えられることによる太陽電池素子の断線やエネルギー変換性能の低下が防止されて、上記膜体４と太陽電池５との寿命の向上が達成される。
【００４３】
また、上記弾性取付板１４はシート状等の板形状であるため、これを紐形状などにすることに比べ、この弾性取付板１４がわと膜体４および太陽電池５との互いの接合面積を大きくできてその接合強度を大きくでき、上記膜体４への太陽電池５の取り付けが強固になされる。よって、前記したように外部荷重に基づき膜体４が伸長変形してこの膜体４から太陽電池５に負荷が与えられる場合に、上記膜体４から上記太陽電池５が剥離するなどの不都合の発生は防止される。この結果、上記膜体４と太陽電池５との寿命の向上が達成される。
【００４４】
上記弾性取付板１４の引張弾性率Ｅ（ＭＰａ）の値は１０〜１００とされている。
【００４５】
ここで、上記弾性取付板１４の引張弾性率Ｅの値を１０未満にすると、上記弾性取付板１４による膜体４への太陽電池５の取付強度が不十分になりがちである。一方、上記引張弾性率Ｅの値が１００を越えると、前記した膜体４の伸長変形による負荷が太陽電池５に与えられようとするときの弾性取付板１４の弾性変形が不十分になりがちである。
【００４６】
そこで、上記したように弾性取付板１４の引張弾性率Ｅの値を１０〜１００としたのであり、このようにすれば、上記弾性取付板１４による膜体４への太陽電池５の取付強度が十分に確保できる。また、上記取付具６を一般的な樹脂材（例えば、Ｅ＝２×１０３〜５×１０４（ＭＰａ））にすることに比べ、上記弾性取付板１４によれば、十分な弾性変形量が得られて、上記膜体４と太陽電池５とが互いに無用の負荷を与え合うことは上記弾性取付板１４の弾性変形によって、より確実に防止される。よって、特に太陽電池における太陽電池素子に無用な負荷が与えられることによる太陽電池素子の断線やエネルギー変換性能の低下が防止されて、上記膜体４と太陽電池５との寿命の向上が、より確実に達成される。
【００４７】
なお、上記弾性取付板１４の引張弾性率Ｅの値は２０〜５０であることが、より好ましい。
【００４８】
上記太陽光発電装置１のうち、特に、膜体４に太陽電池５を取り付けている太陽電池取付構造の形成方法として、まず、上記固定側部材２に張設される膜体４に初期引張力Ｔを付与し、その後、この膜体４に対し上記取付具６により太陽電池５を取り付ける、というものである。
【００４９】
上記形成方法によれば、膜体４に予め初期引張力Ｔが付与されて初期変形させられることから、この膜体４に、その後、何らかの外部荷重が与えられたときには、上記膜体４が初期変形させられている分、上記外部荷重により伸長変形する膜体４から上記取付具６を介し太陽電池５に与えられる負荷は小さく抑制されて膜体４と太陽電池５とが互いに無用の負荷を与え合うことは、更に確実に防止される。この結果、特に太陽電池における太陽電池素子に無用な負荷が与えられることによる太陽電池素子の断線やエネルギー変換性能の低下が防止されて、上記膜体４と太陽電池５との寿命の向上が、更に確実に達成される。
【００５０】
なお、図２中二点鎖線で示すように、上記弾性取付板１４は、上記太陽電池５の外端縁部に沿ってほぼ等ピッチで配置される複数枚の取付板片で構成してもよい。また、上記太陽電池５は正方形や円形であってもよい。また、上記膜体４において、弾性取付板１４の一端部１４ａを接着剤１５により接着させる部分は、コロナ放電やプラズマ放電などによって、接着し易いような粗面など改質面としてもよい。
【００５１】
以下の図１（ｂ）〜（ｄ）、図３（ａ）（ｂ）は、参考例２〜４並びに実施例１及び２を示している。これら各実施例は、前記参考例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【００５２】
＜参考例２＞
本発明をより詳細に説明するために、その参考例２を添付の図１（ｂ）に従って説明する。
【００５３】
図において、上記弾性取付板１４の面方向の他端部１４ｂは、上記太陽電池５の外端縁部の裏面（下面）の表面材１０に接着剤１５により接着されている。
【００５４】
上記構成によれば、弾性取付板１４の他端部１４ｂと太陽電池５の外端縁部との接着面積を大きくして、これらの接着強度を大きくしても、上記弾性取付板１４の他端部１４ｂが太陽電池５の表面（上面）を覆うことは防止される。よって、上記弾性取付板１４による膜体４への太陽電池５の取付強度を大きくできるものでありながら、上記太陽電池５のエネルギー変換性能は良好なままに維持される。
【００５５】
＜参考例３＞
本発明をより詳細に説明するために、その参考例３を添付の図１（ｃ）に従って説明する。
【００５６】
図において、上記取付具６は、上記膜体４と弾性取付板１４の一端部１４ａとの間に介設される取付膜材２１を有している。この取付膜材２１は、太陽光発電装置１の平面視で、上記弾性取付板１４と同様に長方形の枠形状とされている。この取付膜材２１の面方向（長手方向各部の幅方向）の一端部である外端縁部と上記膜体４とが互いに溶着Ｗにより接合される。一方、上記取付膜材２１の他端部である内端縁部の外面が改質面とされ、この外面と上記弾性取付板１４の一端部１４ａとが互いに接着剤１５により接着されている。なお、上記した取付膜材２１の一端部と膜体４との接合は、上記溶着Ｗに代えて接着や縫合によるものであってもよい。また、上記取付膜材２１の他端部の外面以外の外面の、全部もしくは一部を前記のような改質面にしてもよい。
【００５７】
上記取付膜材２１は、上記膜体４につき説明したものと同様のものが適用可能である。この場合、これら膜体４と取付膜材２１とは互いに同構成、同材質であることが好ましい。
【００５８】
ここで、上記取付膜材２１は、これを所望の大きさや所望の形状に加工したり、切断したりすることが容易にできるものであるため、当該太陽光発電装置１における太陽電池取付構造に、上記のような取付膜材２１を用いたことにより、膜体４への太陽電池５の取り付け作業が容易にできると共に、太陽電池５の取り替え作業も容易にできる。
【００５９】
また、上記弾性取付板１４は、通常、ゴム材製であるため、この弾性取付板１４と上記膜体４や太陽電池５とを溶着や縫着により互いに接合することは事実上困難である。そこで、上記したように、取付膜材２１の他端部の外面を改質面としてこの外面と上記弾性取付板１４の一端部１４ａとを互いに接着したのであり、これにより、上記弾性取付板１４の一端部１４ａと取付膜材２１の他端部とを強固に接着することができる。よって、上記膜体４への太陽電池５の取り付けが強固になされて、これら膜体４と太陽電池５との寿命の向上が、より確実に達成される。
【００６０】
ところで、固定側部材２に張設される膜体４に対し、上記弾性取付板１４を接着させる接着作業は、熟練を要して煩雑な作業である。
【００６１】
そこで、上記構成のように取付膜材２１を設けたのであり、これによれば、上記取付具６により膜体４に太陽電池５を取り付ける取り付け作業をする場合には、例えば、まず、工場等の作業性の良いところで、弾性取付板１４と、太陽電池５および取付膜材２１とを接着剤１５により接着してこれらの組み合わせ体５，１４，２１を形成し、次に、持ち運び可能な溶着機の熱風や熱板を用い、もしくは縫着機を用いて、上記組み合わせ体５，１４，２１を固定側部材２に張設された膜体４や張設前の膜体４の表面に対し溶着Ｗや縫着により接合することができる。
【００６２】
よって、接着作業に係る上記組み合わせ体５，１４，２１の形成が作業性の良いところで容易にでき、しかも、上記した溶着Ｗや縫着の作業は、持ち運び可能な溶着機や縫着機を用いることにより、接着作業に比べ多くの熟練を要せず比較的容易にできることから、その分、上記膜体４への太陽電池５の取り付け作業が容易にできる。
【００６３】
＜参考例４＞
本発明をより詳細に説明するために、その参考例４を添付の図１（ｄ）に従って説明する。
【００６４】
図において、前記参考例３に加え、上記取付具６は、上記太陽電池５と弾性取付板１４の他端部１４ｂとの間に介設され、上記太陽電池５の表面材と同材質の樹脂フィルム製の他の取付膜材２３を有している。この他の取付膜材２３は、太陽光発電装置１の平面視で、上記弾性取付板１４と同様の長方形の枠形状とされている。この他の取付膜材２３の面方向（長手方向各部の幅方向）の一端部である内端縁部と上記太陽電池５とが互いに溶着Ｗにより接合される。一方、上記他の取付膜材２３の他端部である外端縁部の外面が改質面とされ、この外面と上記弾性取付板１４の他端部１４ｂとが互いに接着剤１５により接着されている。なお、上記した他の取付膜材２３の一端部と太陽電池５との互いの接合は、上記溶着Ｗに代えて接着によるものであってもよい。また、上記他の取付膜材２３の他端部の外面以外の外面の、全部もしくは一部を前記のような改質面にしてもよい。
【００６５】
上記他の取付膜材２３は、上記膜体４につき説明したものと同様のものが適用可能である。この場合、これら膜体４と他の取付膜材２３とは互いに同構成、同材質であることが好ましい。
【００６６】
ここで、上記他の取付膜材２３は、これを所望の大きさや所望の形状に加工したり、切断したりすることが容易にできるものであるため、当該太陽光発電装置１における太陽電池取付構造に、上記のような他の取付膜材２３を用いたことにより、膜体４への太陽電池５の取り付け作業が容易にできると共に、太陽電池５の取り替え作業も容易にできる。
【００６７】
また、上記弾性取付板１４は、通常、ゴム材製であるため、そのままの状態で、この弾性取付板１４と上記他の取付膜材２３とを溶着することは、材質上、困難である。そこで、この溶着に代えて、縫着することが考えられるが、この場合には糸を通す穿孔のために雨水が浸入し易くなったり強度低下が生じ易くなったりするおそれがある。このため、上記弾性取付板と上記取付膜材とを溶着や縫着により互いに接合することは事実上困難である。
【００６８】
そこで、前記したように、取付膜材２３の他端部の外面を改質面としてこの外面と上記弾性取付板１４の他端部１４ｂとを互いに接着したのであり、これにより、上記弾性取付板１４の他端部１４ｂと他の取付膜材２３の他端部とを強固に接着することができ、上記膜体４への太陽電池５の取り付けが強固になされる。よって、前記したように外部荷重に基づき膜体４が伸長変形してこの膜体４から太陽電池５に負荷が与えられる場合に、上記膜体４から上記太陽電池５が剥離するなどの不都合の発生は防止される。この結果、これら膜体４と太陽電池５との寿命の向上が、より確実に達成される。
【００６９】
ところで、前記したように、固定側部材２に張設される膜体４に対し、上記弾性取付板１４を接着させる接着作業は、熟練を要して煩雑な作業である。
【００７０】
そこで、上記構成のように他の取付膜材２３を設けたのであり、これによれば、上記取付具６により膜体４に太陽電池５を取り付ける取り付け作業をする場合には、例えば、まず、工場等の作業性の良いところで、弾性取付板１４と、取付膜材２１および他の取付膜材２３とを接着剤１５により接着し、かつ、上記他の取付膜材２３と太陽電池５とを互いに溶着Ｗや接着により接合して他の組み合わせ体５，１４，２１，２３を形成し、次に、前記した持ち運び可能な溶着機や縫着機を用いて、上記他の組み合わせ体５，１４，２１，２３を固定側部材２に張設された膜体４や張設前の膜体４の表面に対し溶着Ｗや縫着により接合することができる。
【００７１】
よって、接着作業に係る上記他の組み合わせ体５，１４，２１，２３の形成が作業性の良いところで容易にでき、しかも、上記した溶着Ｗや縫着の作業は、持ち運び可能な溶着機や縫着機を用いることにより、接着作業に比べ多くの熟練を要せず比較的容易にできることから、その分、上記膜体４への太陽電池５の取り付け作業が容易にできる。
【実施例１】
【００７２】
本発明をより詳細に説明するために、その実施例１を添付の図３（ａ）に従って説明する。
【００７３】
図において、前記参考例４を参照して、上記弾性取付板１４の一端部１４ａが断面Ｃ字形状の係止部２６とされている。そして、ロープや棒状ゴム等の可撓性長尺材２５により厚さが大きくされた上記取付膜材２１の他端部が上記係止部２６に係止されている。また、上記弾性取付板１４の他端部１４ｂが断面Ｃ字形状の係止部２７とされている。そして、上記と同様の長尺材２５により厚さが大きくされた他の取付膜材２３の他端部とが上記係止部２７に係止されている。
【００７４】
ここで、上記弾性取付板１４の一端部１４ａに形成された一方の係止部２６は、その長手方向の端部から上記取付膜材２１の他端部を嵌入させて係止可能にさせるようになっている。また、上記弾性取付板１４の他端部１４ｂに形成された他方の係止部２７は、その長手方向の端部から上記他の取付膜材２３の他端部を嵌入させて係止可能にさせるようになっている。
【００７５】
また、上記弾性取付板１４の一端部１４ａと他端部１４ｂとの各係止部２６，２７の引張弾性率Ｅ（ＭＰａ）の値は、弾性取付板１４の前記面方向の中途部のそれよりも大きくされている。これにより、上記弾性取付板１４の一端部１４ａと他端部１４ｂとの各係止部２６，２７が高硬度にされる一方、上記弾性取付板１４の中途部の弾性変形量が大きくなることとされている。
【００７６】
特に、上記弾性取付板１４の一端部１４ａおよび、または他端部１４ｂの各係止部２６，２７の引張弾性率Ｅの値を上記弾性取付板１４の中途部のそれよりも大きくする場合において、このように各引張弾性率Ｅの値が互いに相違する上記各係止部２６，２７と弾性取付板１４の中途部とは、上記弾性取付板１４の押し出し型などの形成型により一体的に容易に形成できる。よって上記取付具６による膜体４への太陽電池５の取り付け作業が容易にできると共に、上記取付膜材２１，２３の他端部を、上記弾性取付板１４に対し強固に係止することが可能となる。
【００７７】
なお、上記係止部２６，２７は、いずれか一方のみが設けられるようにしてもよい。
【００７８】
上記構成によれば、上記取付具６による膜体４への太陽電池５の取り付け作業において、例えば、予め、膜体４に上記取付膜材２１の一端部を接合しておき、その後、上記固定側部材２への膜体４の張設の前、後のいずれかにおいて、上記取付膜材２１の他端部に、太陽電池５を取り付けた弾性取付板１４の一端部１４ａを上記一方の係止部２６により係止させることができる。よって、上記膜体４への太陽電池５の取り付け作業の自由度が向上すると共に、上記一方の係止部２６により上記膜体４への太陽電池５の取り付け作業が極めて容易にできる。
【００７９】
また、上記取付具６による膜体４への太陽電池５の取り付け作業において、例えば、予め、膜体４に上記取付膜材２１の一端部を接合すると共に、この取付膜材２１の他端部に弾性取付板１４の一端部１４ａを上記一方の係止部２６により係止させておき、その後、上記固定側部材２への膜体４の張設の前、後のいずれかにおいて、上記弾性取付板１４の他端部１４ｂに、太陽電池５を取り付けた上記他の取付膜材２３の他端部を上記他方の係止部２７により係止させることができる。よって、上記膜体４への太陽電池５の取り付け作業の自由度が向上すると共に、上記他方の係止部２７により上記膜体４への太陽電池５の取り付け作業が極めて容易にできる。
【００８０】
また、前記したように、上記係止部２６，２７の引張弾性率（ＭＰａ）を、上記弾性取付板の上記面方向における中途部の引張弾性率（ＭＰａ）の値よりも大きくしている。
【００８１】
このため、上記弾性取付板１４には必要な弾性性能が維持される一方、上記した係止部２６，２７による弾性取付板１４への取付膜材２１，２３の他端部の係止が強固になされることから、上記係止部２６，２７による膜体４への太陽電池５の取付強度が十分に確保される。よって、前記したように、係止部２６，２７により膜体４への太陽電池５の取り付け作業が容易にできるものでありながら、前記したように外部荷重に基づき膜体４が伸長変形してこの膜体４から太陽電池５に負荷が与えられる場合に、上記膜体４から上記太陽電池５が剥離するなどの不都合の発生は防止される。この結果、これら膜体４と太陽電池５との寿命の向上が達成される。
【実施例２】
【００８２】
本発明をより詳細に説明するために、その実施例２を添付の図３（ｂ）に従って説明する。
【００８３】
図において、前記実施例１を参照して、上記弾性取付板１４の一端部１４ａと他端部１４ｂとにはそれぞれ断面Ｃ字形状の係止部２６，２７が接着され、これら各係止部２６，２７は上記太陽電池５の外端縁部に沿って長く延びている。これら各係止部２６，２７は樹脂製とされるが金属製であってもよい。
【００８４】
ここで、上記弾性取付板１４の一端部１４ａに接着された一方の係止部２６は、その長手方向の端部から上記取付膜材２１の他端部を嵌入させて係止可能にさせるようになっている。また、上記弾性取付板１４の他端部１４ｂに接着された他方の係止部２７は、その長手方向の端部から上記他の取付膜材２３の他端部を嵌入させて係止可能にさせるようになっている。
【符号の説明】
【００８５】
１  太陽光発電装置
２  固定側部材
４  膜体
５  太陽電池
６  取付具
９  太陽電池素子
１０  表面材
１４  弾性取付板
１４ａ  一端部
１４ｂ  他端部
１５  接着剤
２１  取付膜材
２３  （他の）取付膜材
２５  長尺材
２６  係止部
２７  係止部
Ａ  一方向
Ｂ  直交方向
Ｔ  引張力
Ｗ  溶着
【図１】
0005968620.tif 000002
【図２】
0005968620.tif 000003
【図３】
0005968620.tif 000004